(57)【要約】【課題】  水田の水位の微妙な調整を容易に行うことができるので深水管理が楽であるし、止水体を構成する複数枚の止水片は連結してあるので、持ち運び等の取り扱いに便利で作業性に優れているし、散逸や紛失がないので保管性に優れている水田用水位調整桝を提供する。【解決手段】  桝本体１は、底壁体２、一対の側壁体３、３、下部側に通水穴を有し、一対の側壁体３、３を連結する後壁体４とから構成してある。桝本体１の側壁体３、３間に架設することにより水位を調整する止水体８は、６枚の止水片９乃至１４を連結索により縦方向に緩やかに連結して構成してある。調整する水位に応じて止水片９乃至１４の中から任意の止水片を列設して側壁体３、３の上部側傾斜縁に架設する。【選択図】  図６
0003112060.tif 000002
【実用新案登録請求の範囲】
【請求項１】
底壁体と、該底壁体から起立する一対の側壁体と、下部側に通水穴を有し、該一対の側壁体を連結する後壁体とからなり、前方が開放した桝本体と、該桝本体の側壁体間に架設することにより水位を調整する止水体とからなる水田用水位調整桝であって、前記止水体は、複数枚の止水片を連結索により縦方向に緩やかに連結することにより構成し、調整する水位に応じて任意の枚数の前記止水片のみを列設して前記側壁体に架設するようにしたことを特徴とする水田用水位調整桝。
【請求項２】
前記桝本体は、前記一対の側壁体の外面を凹凸面に形成してあることを特徴とする請求項１記載の水田用水位調整桝。
【請求項３】
前記止水体は、縦幅が同一の止水片と縦幅が異なる止水片を任意の枚数組合せて構成してあることを特徴とする請求項１記載の水田用水位調整桝。
【請求項４】
前記止水体は、縦幅が異なる複数枚の止水片から構成してあることを特徴とする請求項１記載の水田用水位調整桝。
【請求項５】
前記複数枚の止水片には、前記連結索の折り曲げ部位を収容する収容凹部を必要に応じて設けてあることを特徴とする請求項１記載の水田用水位調整桝。
【考案の詳細な説明】
【技術分野】
【０００１】
本考案は、稲の生育時期に応じて水田に供給する水の量を調整するために水門に設置する水田用水位調整桝に関する。
【背景技術】
【０００２】
水田には稲の生育時期に応じた水量の管理が必要であり、従来から水位調整桝（田区落ち口桝とも称する。）を用いている。従来の水位調整桝は、コンクリート製の桝本体に調整する水位に応じて選択した高さの異なる止水板を嵌合して使用している。また、エルボパイプの端部を二重にして一方を水位調整側とし、この水位調整側流入口パイプ先端の少なくとも一辺を直線にして、起倒することにより水位調整する水田用排水ゲートが知られている（特許文献１）。
【特許文献１】実開平２−４７２３２号公報
【考案の開示】
【考案が解決しようとする課題】
【０００３】
上述した従来技術の水位調整桝は、高さの異なる複数枚の止水板を用意しておき、調整する水位に応じて止水板を選択して設置するため、細かな水位調整ができない、止水板の持ち運びや管理が面倒である、止水板が紛失する場合があるといった欠点がある。また、特許文献１に記載の排水ゲートは、エルボパイプを用いるため、早期に詰まってしまうという欠点や、何らかの外力が加わると内側パイプが下がって水位が下がってしまうという欠点もある。
【０００４】
本考案は上述した従来技術の諸欠点に鑑みなされたもので、水位の微妙な調整を容易に行うことができるので深水管理が楽であるし、止水体を構成する複数枚の止水片は連結してあるので、持ち運び等の取り扱いに便利であるので作業性に優れており、また散逸や紛失することがないので保管性に優れている水田用水位調整桝を提供することを目的とする。
【課題を解決するための手段】
【０００５】
上述した課題を解決するために構成された本考案の手段は、底壁体と、該底壁体から起立する一対の側壁体と、下部側に通水穴を有し、該一対の側壁体を連結する後壁体とからなり、前方が開放した桝本体と、該桝本体の側壁体間に架設することにより水位を調整する止水体とからなる水田用水位調整桝であって、前記止水体は、複数枚の止水片を連結索により縦方向に緩やかに連結することにより構成し、調整する水位に応じて任意の枚数の前記止水片のみを列設して前記側壁体に架設するようにしたものからなる。
【０００６】
そして、前記桝本体は、一対の側壁体の外面を凹凸面に形成するとよい。
【０００７】
また、前記止水体は、縦幅が同一の止水片と縦幅が異なる止水片を任意の枚数組合せて構成してもより。
【０００８】
更に、前記止水体は、縦幅が異なる複数枚の止水片により構成してもよい。
【０００９】
更に、前記止水体には、前記連結索の折り曲げ部位を収容する収容凹部を設けるとよい。こうすることにより、複数枚の止水片を隙間なく列設して水漏れのない止水体にすることができる。
【考案の効果】
【００１０】
本考案は上述の如く構成したから、下記の諸効果を奏する。
（１）止水体は複数枚の止水片を連結して構成してあり、調整する水位に応じて必要な止水片を選択して列設するだけで水位の微妙な調整を容易に行うことができるので、深水管理が楽である。
（２）止水体を構成する複数枚の止水片は連結索で連結してあるから、持ち運びが容易で便利であるし、止水片が散逸することや紛失することがないので保管性に優れている。
（３）各止水片には必要に応じて連結索の折り曲げ部位を収容する収容凹部を設けてあるから、選択した複数枚の止水片を隙間なく列設することができるので水漏れのない止水体として使用できる。
（４）畦に埋設する桝本体は側壁体の外面を凹凸面に形成してあるから、鼠、螻蛄等の小動物が桝本体の側面に沿って容易に水田に入り込むのを阻止することができる。
【考案を実施するための最良の形態】
【００１１】
以下、本考案の実施の形態を図面に基づき詳述する。図において、１はコンクリート製の桝本体を示す。２は該桝本体１を構成する平面略長方形の板体からなる底壁体、３、３は該底壁体２の幅方向両端から起立して対向する一対の側壁体で、該各側壁体３は縦長長方形の平板の前縁下部を垂直縁３Ａに、前縁上部を傾斜縁３Ｂに形成し、垂直縁３Ａから傾斜縁３Ｂにかけて内側に嵌合段部３Ｃ、３Ｄを連設し、かつ幅方向中間には縦方向に差込溝３Ｅ、３Ｅを形成したものからなっている。また、側壁体３は外側面に縦長の凹陥部を２列形成して凹凸面３Ｆに形成してあるから、側壁体３に沿って鼠等の小動物が容易に水田に入り込まないようにしてある。
【００１２】
４は下部側に通水穴４Ａを有し、底壁体２から起立して一対の側壁体３、３を連結する後壁体を示す。かくして、桝本体１は一対の側壁体３、３と後壁体４が平面略冂状に起立した形状をなしており、垂直縁３Ａの嵌合段部３Ｃには水切り時に平板からなる土止め板５を嵌合し、傾斜縁３Ｂの嵌合段部３Ｄには後述する止水体８を嵌合して架設するようになっている。また、差込溝３Ｅには泥止め板６を挿脱可能に挿嵌し、かつ後壁板４の通水穴４Ａには排水管７を挿嵌するようになっている。
【００１３】
８は桝本体１の側壁体３、３の傾斜縁３Ｂに架設することにより水田の水位Ａを調整する止水体を示し、該止水体８は長方形の合成樹脂製平板からなる６枚の止水片９、１０、１１、１２、１３、１４により構成してある。９は最下部に位置する下側止水片で、該下側止水片９には前面９Ａから上面９Ｂの角隅に位置して厚さの略半分の深さと、後述する連結索１５の太さより広い幅からなる略Ｌ字状の切欠きからなる一対の収容凹部９Ｃ、９Ｃが幅方向に離間して形成してある。また、該一対の収容凹部９Ｃ、９Ｃの位置に対応して下面９Ｄ及び上面９Ｅに開口する一対の挿通穴９Ｆ、９Ｆが縦方向に貫通して形成してあり、下面９Ｄには該挿通穴９Ｆ、９Ｆに連通する横長の格納溝部９Ｇが形成してある。この格納溝部９Ｇは連結索１５の折返し部１５Ａを収納するための溝で、止水体８と土止め板５を隙間なく連接させて水漏れを防止するためと、連結索１５を保護するためのものである。
【００１４】
１０は最上位に位置する上側止水片を示し、該上側止水片１０は下面１０Ａと上面１０Ｂに開口する一対の挿通穴１０Ｃ、１０Ｃが貫通して形成してある。１１乃至１４は４枚の中間止水片で、該中間止水片１１、１２、１３、１４は前面１１Ａ（１２Ａ、１３Ａ、１４Ａ）から上面１１Ｂ（１２Ｂ、１３Ｂ、１４Ｂ）にかけて前記収容凹部９Ｃと同様の収容凹部１１Ｃ（１２Ｃ、１３Ｃ、１４Ｃ）が幅方向に離間して形成してあり、かつ下面１１Ｄ（１２Ｄ、１３Ｄ、１４Ｄ）と上面１１Ｂ（１２Ｂ、１３Ｂ、１４Ｂ）に開口する挿通穴１１Ｅ、１１Ｅ（１２Ｅ、１３Ｅ、１４Ｅ）が縦方向に貫通して形成してある。
【００１５】
１５は前記６枚の止水片９乃至１４を連結して止水体８を構成する連結索を示す。該連結索１５は非腐食性と強度性を有する柔軟な紐からなっており、下側止水片９の格納溝部９Ｇから挿通穴９Ｆ、９Ｆを介して中間止水片１１、１２、１３、１４の各挿通穴１１Ｅ、１２Ｅ、１３Ｅ、１４Ｅに挿通し、上側止水片１０の挿通穴１０Ｃ、１０Ｃに挿通して上方に伸長し、全長に余裕を持たせた状態でその両先端側１５Ｂ、１５Ｂを締結してある。
【００１６】
本実施の形態に係る水田用水位調整桝は上述の構成からなるもので、次にその作用について説明する。止水体８は図２に示すように、止水片９乃至１４を平板状に列設した場合が最も高い寸法を有する。また図３及び図４に示すように、連結索１５を折り曲げて４枚の中間止水片１１乃至１４から任意の止水片を止水体８の構成から外し、他の止水片を列設して連結索１５を締結することにより、調整水位Ａを設定するのに必要な高さの止水体８を構成することができる。
【００１７】
そして、上側止水片１０を除く止水片９乃至１４には、連結索１５の折り曲げ部位１５Ｃ、１５Ｃ、・・を収容する収容凹部９Ｃ、１１Ｃ、１２Ｃ、１３Ｃ、１４Ｃを形成してあるから、連結索１５を折り曲げて一部の中間止水片１１乃至１４を外して止水体８の高さを低く設定する場合、列設する止水片９乃至１４の下面１０Ａ、１１Ｄ、１２Ｄ、１３Ｄ、１４Ｄと上面９Ｂ、１１Ｂ、１２Ｂ、１３Ｂ、１４Ｂを密接した状態に並べることができるから、水漏れする隙間のない止水体８に構成することができる。
【００１８】
このようにして、止水体８は任意の枚数の止水片９乃至１４を選択して列設することにより、調整水位Ａに対応する高さの止水体８に構成することができる。そして、構成した止水体８は桝本体１の側壁体３，３の各傾斜縁Ｂに形成してある嵌合段部３Ｄに嵌合して架設するが、止水体８には桝本体１側に押圧する方向の水圧が掛かるから、桝本体１から脱落することはない。
【００１９】
図５は深水時における止水体８の使用例を示し、止水体８は６枚の止水片９乃至１４を平板状に列設して最も高い寸法に設定してある。図６は標準時における止水体８の使用例を示し、４枚の中間止水片１１乃至１４は外して下側止水片９と上側止水片１０によって止水体８を構成してある。そして、調整する水位Ａを可及的に正確に設定することができるように、縦幅が同一の止水片と異なる止水片で止水体８を構成することや、縦幅が全て異なる複数枚の止水片で止水体８を構成することにより、よりきめ細かい水位Ａの調整が可能になる。
【００２０】
なお、本実施の形態では、止水体８を６枚の止水片９乃至１４で構成したが、止水片の枚数は桝本体の大きさに対応して適宜選定することができるものであり、実施の形態の枚数に限定されるものではない。
【００２１】
また、連結索１５の先端側１５Ｂ、１５Ｂは締結したが、連結索１５に摺動可能で、任意の位置で締着することのできるロック、通称ドローコードロックを設けることにより、止水体８を簡単に、しかもより一層強く締結して一体性を持たせることができる。
【図面の簡単な説明】
【００２２】
【図１】本考案の実施の形態に係る水田用水位調整桝を構成する桝本体の外観斜視図である。
【図２】止水体の全体構成を示す斜視図である。
【図３】止水体の高さを変更した状態を示す斜視図である。
【図４】図３中のＩＶ−ＩＶ矢示方向断面図である。
【図５】水位深水時における止水体の使用状態を示す説明図である。
【図６】水位標準時における止水体の使用状態を示す説明図である。
【符号の説明】
【００２３】
１        桝本体
２        底壁体
３        側壁体
４        後壁体
４Ａ      通水穴
８        止水体
９、１０、１１、１２、１３、１４  止水片
９Ｃ、１１Ｃ、１２Ｃ、１３Ｃ、１４Ｃ    収容凹部
１５      連結索
【図１】
0003112060.tif 000003
【図２】
0003112060.tif 000004
【図３】
0003112060.tif 000005
【図４】
0003112060.tif 000006
【図５】
0003112060.tif 000007
【図６】
0003112060.tif 000008